(57)【要約】  【課題】  温度切替室を有し、経済的負担を軽減して場所の確保を容易にして利便性を向上できる冷蔵庫を提供する。  【解決手段】  冷却装置１７による冷却とヒータ１５による加熱とによって、貯蔵物を冷蔵保存または冷凍保存する低温側と加熱食品を保温する高温側とに室内温度を切り替えできる温度切替室３を備えた冷蔵庫１において、温度切替室３内に配される収納ケース５１と、収納５１ケースを覆って開閉可能な金属製の収納ケースカバー３７と、ヒータ１５と熱交換した空気を温度切替室３の背面上部に設けられた流入口３３ａを介して温度切替室３に送出する送風機１４を有し、流入口３３ａから送出される空気の送出方向Ｎに垂直な方向に対して、流入口３３ａに対向する収納ケースカバー３７の背面を傾斜した。【選択図】      図４
2006258322.tif 000002
【特許請求の範囲】
【請求項１】
冷却装置による冷却とヒータによる加熱とによって、貯蔵物を冷蔵保存または冷凍保存する低温側と加熱食品を保温する高温側とに室内温度を切り替えできる温度切替室を備えた冷蔵庫において、前記温度切替室内に配される収納ケースと、前記収納ケースを覆う収納ケースカバーとを設けたことを特徴とする冷蔵庫。
【請求項２】
前記ヒータと熱交換した空気を前記温度切替室の背面上部に設けられた流入口を介して前記温度切替室に送出する送風機を有し、前記流入口から送出される空気の送出方向に垂直な方向に対して、前記流入口に対向する前記収納ケースカバーの背面を傾斜したことを特徴とする請求項１に記載の冷蔵庫。
【請求項３】
前記流入口に風向を規制する風向板を有したグリルを設け、前記風向板を水平に対して前方が上方になるように傾斜したことを特徴とする請求項１または請求項２に記載の冷蔵庫。
【請求項４】
前記収納ケースカバーの表面形状を凹凸形状にしたことを特徴とする請求項１〜請求項３のいずれかに記載の冷蔵庫。
【請求項５】
前記収納ケースカバーを金属製にしたことを特徴とする請求項１〜請求項４のいずれかに記載の冷蔵庫。
【請求項６】
前記収納ケースは樹脂で表面を覆われた金属から成ることを特徴とする請求項５に記載の冷蔵庫。
【請求項７】
前記収納ケースは前記収納ケースカバーとの接触面に前記金属が露出するとともに前記収納ケース及び前記収納ケースカバーは互いの接触面が鏡面に形成されることを特徴とする請求項６に記載の冷蔵庫。
【請求項８】
前記収納ケース及び前記収納ケースカバーの互いの接触面の表面粗さを０．０５Ｓ以下にしたことを特徴とする請求項７に記載の冷蔵庫。
【発明の詳細な説明】
【技術分野】
【０００１】
本発明は、ユーザにより所望の室内温度に切り替えることができる温度切替室を備えた冷蔵庫に関する。
【背景技術】
【０００２】
生活環境の変化が著しい昨今においては、家族それぞれが食事を摂る時間が異なる家庭が増えている。このため、加熱食品を保温するために保温箱や保温用収納容器が用いられる。これにより、調理を何度も行う手間を省くことができる。
【０００３】
一方、冷凍室及び冷蔵室に加えて温度切替室を備えた冷蔵庫が特許文献１に開示されている。この冷蔵庫は、温度切替室に送出される冷気の通路を開閉するダンパ装置と、温度切替室を昇温するヒータとを備えている。これにより、温度切換室の室内温度を使用者の用途に応じて冷凍、冷蔵、パーシャル、チルド等の所望の低温の温度帯に切り替えることができる。
【特許文献１】特開平１０−２８８４４０号公報
【発明の開示】
【発明が解決しようとする課題】
【０００４】
しかしながら、加熱食品を保温するために保温箱や収納容器を用いると設置場所の確保が困難な問題や使用者の経済的負担が大きくなる問題がある。また、食品を移し替える煩雑な作業を必要とし、利便性が悪い問題があった。
【０００５】
本発明は、経済的負担を軽減するとともに場所の確保を容易にして利便性の高い冷蔵庫を提供することを目的とする。
【課題を解決するための手段】
【０００６】
上記目的を達成するために本発明の冷蔵庫は、冷却装置による冷却とヒータによる加熱とによって、貯蔵物を冷蔵保存または冷凍保存する低温側と加熱食品を保温する高温側とに室内温度を切り替えできる温度切替室を備えた冷蔵庫において、前記温度切替室内に配される収納ケースと、前記収納ケースを覆う収納ケースカバーとを設けたことを特徴としている。
【０００７】
この構成によると、温度切替室は低温側に切り替えられると冷却装置から冷気が導入され、冷凍、パーシャル、チルド、冷蔵等の低温室となる。これにより、貯蔵物を冷蔵保存または冷凍保存できる。温度切替室は高温側に切り替えられるとヒータが駆動され、温度切替室は高温になる。これにより、加熱調理済み食品の一時的な保温ができる。温度切替室には貯蔵物を収納する収納ケースが設けられ、収納ケースは収納ケースカバーで覆われる。収納ケースカバーによって貯蔵物に直接熱風が当たることによる貯蔵物の乾燥が防止される。
【０００８】
また本発明は上記構成の冷蔵庫において、前記ヒータと熱交換した空気を前記温度切替室の背面上部に設けられた流入口を介して前記温度切替室に送出する送風機を有し、前記流入口から送出される空気の送出方向に垂直な方向に対して、前記流入口に対向する前記収納ケースカバーの背面を傾斜したことを特徴としている。
【０００９】
この構成によると、温度切替室の背面上部に設けた流入口から冷気または熱風が送出される。温度切替室内に送出された空気は傾斜した収納ケースカバーの背面に向けて送出され、収納ケースカバーに沿って温度切替室内を流通する。
【００１０】
また本発明は上記構成の冷蔵庫において、前記流入口に風向を規制する風向板を有したグリルを設け、前記風向板を水平に対して前方が上方になるように傾斜したことを特徴としている。この構成によると、空気は流入口から上方に向けて送出され、収納ケースカバーに沿って温度切替室内を流通する。
【００１１】
また本発明は上記構成の冷蔵庫において、前記収納ケースカバーの表面形状を凹凸形状にしたことを特徴としている。この構成によると、凹凸形状によって収納ケースカバーの表面積が増加する。
【００１２】
また本発明は上記構成の冷蔵庫において、前記収納ケースカバーを金属製にしたことを特徴としている。この構成によると、金属製の収納ケースカバーを介して温度切替室内の熱が収納ケース内に伝えられる。
【００１３】
また本発明は上記構成の冷蔵庫において、前記収納ケースは樹脂で表面を覆われた金属から成ることを特徴としている。
【００１４】
また本発明は上記構成の冷蔵庫において、前記収納ケースは前記収納ケースカバーとの接触面に前記金属が露出するとともに前記収納ケース及び前記収納ケースカバーは互いの接触面が鏡面に形成されることを特徴としている。この構成によると、収納ケース及び収納ケースカバーは鏡面仕上げされた金属面が互いに密着する。
【００１５】
また本発明は上記構成の冷蔵庫において、前記収納ケース及び前記収納ケースカバーの互いの接触面の表面粗さを０．０５Ｓ以下にしたことを特徴としている。
【発明の効果】
【００１６】
本発明によると、貯蔵物を冷蔵保存または冷凍保存する低温側と加熱食品を保温する高温側とに室内温度を切り替えできる温度切替室を備えたので、加熱食品を保温するための経済的負担を軽減するとともに場所の確保を容易にして利便性の高い冷蔵庫を提供することができる。また、温度切替室内に収納ケースを配して収納ケースを覆う収納ケースカバーを設けたので、貯蔵物に直接熱風が当たることによる貯蔵物の乾燥が防止されるとともに、収納ケース外への食品の臭い移りを防止することができる。
【００１７】
また本発明によると、温度切替室の背面上部に設けた流入口から送出される空気の送出方向に垂直な方向に対して、流入口に対向する収納ケースカバーの背面を傾斜したので、流入口から送出される空気が収納ケースカバーに衝突することによる乱流を低減することができる。従って、温度切替室内をスムーズに空気が流通して送風効率を向上できるとともに収納ケース内をより均一な温度にすることができる。
【００１８】
また本発明によると、グリルに設けた風向板を水平に対して前方が上方になるように傾斜したので、流入口から送出される空気の送出方向に垂直な方向に対して、流入口に対向する収納ケースカバーの背面を大きく傾斜することができる。
【００１９】
また本発明によると、収納ケースカバーの表面形状を凹凸形状にしたので、収納ケースカバーの表面積が増加して収納ケース内をより均一な温度にすることができるとともに、収納ケースカバーの強度を向上することができる。
【００２０】
また本発明によると、収納ケースカバーを金属製にしたので、収納ケースカバーの熱伝導によって収納ケースカバーの全体を介して収納ケース内に熱が伝えられるため収納ケース内を均一な温度にすることができる。
【００２１】
また本発明によると、収納ケースが樹脂で表面を覆われた金属から成るので、温度切替室内の熱を効率よく収納ケース内に伝えるとともに、使用者が収納ケースを把持した際に火傷する危険を防止することができる。
【００２２】
また本発明によると、収納ケース及び収納ケースカバーの互いの接触面が鏡面に形成されるので、収納ケースに収納ケースカバーが密着して収納ケース外への食品の臭い移りをより確実に防止することができる。
【発明を実施するための最良の形態】
【００２３】
以下に本発明の実施形態を図面を参照して説明する。図１、図２は第１実施形態の冷蔵庫を示す正面図及び右側面図である。冷蔵庫１は、上段に冷蔵室２が配され、中段に温度切替室３及び製氷室４が配される。冷蔵庫１の下段には野菜室５及び冷凍室６が配されている。
【００２４】
冷蔵室２は観音開きの扉を有し、貯蔵物を冷蔵保存する。温度切替室３は中段左側に設けられ、使用者により室温を切り替えられるようになっている。製氷室４は中段右側に設けられ、製氷を行う。野菜室５は下段左側に設けられ、野菜の貯蔵に適した温度（約８℃）に維持される。冷凍室６は下段右側に設けられ、製氷室４に連通して貯蔵物を冷凍保存する。
【００２５】
図３は冷蔵庫１の右側面断面図である。冷凍室６及び製氷室４には貯蔵物を収納する収納ケース１１が設けられる。野菜室５及び温度切替室３にも同様の収納ケースが設けられる。冷蔵室２には貯蔵物を載置する複数の収納棚４１が設けられる。冷蔵室２の扉には収納ポケット４２が設けられる。これらにより、冷蔵庫１の使い勝手が向上されている。また、冷蔵室２内の下部にはチルド温度帯（約０℃）に維持されたチルド室２３が設けられている。
【００２６】
冷凍室６の背後には冷気通路３１が設けられ、冷気通路３１内には圧縮機３５に接続された蒸発器１７が配される。冷蔵室２の背後には冷気通路３１と連通する冷気通路３２が設けられる。凝縮器、膨張器（いずれも不図示）が接続された圧縮機３５の駆動によりイソブタン等の冷媒が循環して冷凍サイクルが運転される。これにより、冷凍サイクルの低温側となる蒸発器１７と空気が熱交換して冷気が生成される。従って、圧縮機３５及び蒸発器１７は凝縮器及び膨張器とともに冷気を生成する冷却装置を構成する。
【００２７】
また、冷気通路３１内には送風機１８が配され、冷気通路３２内には送風機２８が配される。詳細を後述するように、蒸発器１７で生成された冷気は送風機１８の駆動により冷気通路３１を介して冷凍室６、製氷室４、チルド室２３及び温度切替室３に供給される。また、送風機２８の駆動により冷気通路３２を介して冷蔵室２及び野菜室５に供給される。
【００２８】
図４は温度切替室３を示す右側面断面図である。温度切替室３の上下面は断熱壁７、８により冷蔵室２及び野菜室５と仕切られる。温度切替室３の前面は回動式の扉９により開閉可能になっている。また、温度切替室３の側面は図示しない断熱壁により製氷室４及び冷凍室６と断熱隔離されている。温度切替室３内に配された収納ケース５１は樹脂成形品から成り、前方に引き出して貯蔵物を出し入れ可能になっている。
【００２９】
収納ケース５１の上面は収納ケースカバー３７により覆われる。収納ケースカバー３７はステンレスやアルミニウム等の金属から成り、開閉可能になっている。これにより、貯蔵物に直接熱風が当たることによる貯蔵物の乾燥が防止される。また、収納ケース外への食品の臭い移りを防止することができる。加えて、収納ケースカバー３７の熱伝導によって収納ケースカバー３７の全体を介して収納ケース５１内に熱が伝えられるため、収納ケース５１内を均一な温度にすることができる。
【００３０】
温度切替室３の背面は背面板３３により覆われている。背面板３３の上部には複数の風向板４０ａを上下方向に並設したグリル４０が設けられれる。グリル４０によって温度切替室３に空気が流入する流入口３３ａが形成される。収納ケースカバー３７の背面は流入口３３ａに対向し、水平に対して前方が上方になるように傾斜する。また、グリル４０の風向板４０ａは前方が上方になるように傾斜する。
【００３１】
その結果、収納ケースカバー３７の背面は流入口３３ａから送出される空気の送出方向Ｎに垂直な方向に対して大きな角度θで傾斜する。これにより、流入口３３ａから送出される空気は収納ケースカバー３７に沿って流通し、空気が収納ケースカバー３７に衝突することによる乱流を低減することができる。従って、温度切替室３内をスムーズに空気が流通して送風効率を向上できる。また、収納ケース５１及び収納ケースカバー３７の周囲から均一に熱が伝達され、収納ケース５１内をより均一な温度にすることができる。
【００３２】
温度切替室３の下部には温度切替室３から空気が流出する流出口３３ｂが設けられる。また、流入口３３ａ及び流出口３３ｂ近傍には空気の温度を検知する温度センサ２４、３０が設けられる。
【００３３】
背面板３３の後方には、外壁を形成する断熱壁１０との間に導入通風路１２が設けられている。導入通風路１２には温度切替室吐出ダンパ１３（図５参照）が設けられ、冷気通路３１に連通して蒸発器１７（図３参照）で発生した冷気を温度切替室３に導く。また、温度切替室吐出ダンパ１３の開閉により蒸発器１７と温度切替室３の流入側との冷気経路が開閉され、開閉量によって導入通風路１２から温度切替室３に流入する風量が調整される。
【００３４】
導入通風路１２内には、温度切替室吐出ダンパ１３と流入口３３ａとの間に送風機１４が設けられている。送風機１４の駆動によって冷気通路３１から多くの冷気が温度切替室３に導かれる。
【００３５】
流出口３３ｂの後方には温度切替室戻りダンパ２０が設けられる。温度切替室戻りダンパ２０は開口部２０ａ、２０ｂを有し、回動により一方を開いて他方を閉じる回動板２０ｃを有している。開口部２０ｂを開くと温度切替室３から流出する空気は戻り通風路１９（図５参照）を介して蒸発器１７に導かれる。
【００３６】
開口部２０ａを開くと温度切替室３から流出する空気は送風機１４の吸気側に導かれるとともに、温度切替室３の流出側と蒸発器１７との冷気経路が閉じられる。従って、送風機１４を駆動し、開口部２０ｂを閉じて温度切替室戻りダンパ２０を閉じることにより、矢印Ｆに示すように温度切替室３の空気を循環させることができる。尚、送風機１４を温度切替室３内に設けてもよい。
【００３７】
温度切替室３の流入口３３ａの背後にはヒータ１５が設けられる。ヒータ１５は熱輻射式のガラス管ヒータから成り、背面板３３を介して放出される輻射熱により温度切替室３を昇温する。送風機１４はヒータ１５の表面に向けて送風するように配置されている。これにより、ヒータ１５の表面温度を下げて安全性を向上させることができる。また、流出口３３ｂには、所定の温度まで高温になるとヒータ１５の通電を遮断する温度ヒューズ３０が設けられる。
【００３８】
図５は冷蔵庫１の中段付近の正面断面図を示している。冷凍室６の背後の冷気通路３１は送風機１８の前面上部を開口し、送風機１８によって製氷室４に空気が送出される。製氷室４に連通する冷凍室６の下部には冷凍室ダンパ２２が設けられる。冷凍室６の後方下部には、冷凍室ダンパ２２を介して蒸発器１７に空気を導いて冷気通路３１に戻る戻り通風路２１（図３参照）が設けられている。冷凍室ダンパ２２の開閉により冷凍室６から流出する空気の風量が調整される。
【００３９】
冷気通路３１の上部は冷蔵室ダンパ２７を介して冷気通路３２に連通する。また、冷気通路３１は送風機１８と冷蔵室ダンパ２７との間で分岐して、前述の導入通風路１２（図４参照）が設けられる。導入通風路１２は更に分岐し、温度切替室吐出ダンパ１３を介して温度切替室に連通するとともに、チルド室ダンパ２５を介してチルド室２３と連通する。
【００４０】
冷蔵室２の背面下部には冷蔵室流出口（不図示）が開口し、野菜室５には野菜室流入口（不図示）が設けられる。冷蔵室流出口と野菜室流入口とは温度切替室３の背面を通る通路（不図示）により連結され、冷蔵室２と野菜室５が連通している。
【００４１】
温度切替室戻りダンパ２０は温度切替室３の左方下部に設けられる。温度切替室３及び野菜室５の背後には、温度切替室戻りダンパ２０から下方に延びて戻り通風路２１（図３参照）に連通する戻り通風路１９が設けられている。前述したように、温度切替室３内の空気は温度切替室戻りダンパ２０の開口部２０ｂ（図４参照）を開くことにより戻り通風路１９、２１を介して蒸発器１７に導かれる。尚、野菜室５の背面には戻り通風路１９に連通する野菜室流出口（不図示）が設けられる。
【００４２】
図６は冷蔵庫１の冷気の流れを示す冷気回路図である。冷凍室６、冷蔵室２及び温度切替室３はそれぞれ並列に配される。また、製氷室４は冷凍室６と直列に配され、チルド室２３及び野菜室５は冷蔵室２と直列に配される。蒸発器１７で生成された冷気は、送風機１８の駆動により矢印Ａ（図５参照）に示すように冷気通路３１を上昇して製氷室４に送出される。製氷室４に送出された冷気は製氷室４及び冷凍室６を流通し、冷凍室ダンパ２２から流出する。そして、戻り通風路２１を介して蒸発器１７に戻る。これにより、製氷室４及び冷凍室６内が冷却される。
【００４３】
送風機２８の駆動により冷気通路３１の上部で分岐した冷気は冷蔵室ダンパ２７を介して矢印Ｂ（図５参照）に示すように冷気通路３２を流通する。冷気通路３２を流通する冷気は吐出口３２ａを介してチルド室２３及び冷蔵室２に吐出される。矢印Ｃ（図５参照）に示すように冷気通路３１から分岐した冷気はチルド室ダンパ２３を介してチルド室２３に送出される。これらの冷気は冷蔵室２及びチルド室２３を流通した後、冷蔵室流出口（不図示）から流出して野菜室５に流入する。
【００４４】
野菜室５に流入した冷気は野菜室５内を流通して戻り通路１９、２１を介して蒸発器１７に戻る。これにより、チルド室２３が設けられる冷蔵室２内及び野菜室５内が冷却され、設定温度になると冷蔵室ダンパ２７及びチルド室ダンパ２３が閉じられる。
【００４５】
また、送風機１４の駆動により冷気通路３１の上部で分岐した冷気は矢印Ｄ（図５参照）に示すように導入通風路１２を流通し、温度切替室吐出ダンパ１３を介して温度切替室３に流入する。温度切替室３に流入した冷気は温度切替室３内を流通し、温度切替室戻りダンパ２０から流出する。そして、矢印Ｅ（図５参照）に示すように、戻り通風路１９、２１を介して蒸発器１７に戻る。これにより、温度切替室３内が冷却される。
【００４６】
前述のように、温度切替室３は使用者の操作により室内温度を切り替えることができるようになっている。温度切替室３の動作モードは温度帯に応じてワイン（８℃）、冷蔵（３℃）、チルド（０℃）、ソフト冷凍（−８℃）、冷凍（−１５℃）の各冷却モードが設けられる。これにより、使用者は所望の温度で貯蔵物を冷凍保存または冷蔵保存できる。室内温度の切り替えは温度切替室吐出ダンパ１３を開く量を可変して行うことができる。尚、例えば冷凍の室内温度から冷蔵の室内温度に切り替える際にヒータ１５に通電して昇温してもよい。これにより、迅速に所望の室内温度に切り替えることができる。
【００４７】
また、ヒータ１５に通電することにより、温度切替室３の室内温度を貯蔵物を冷凍保存または冷蔵保存する低温側から調理済み加熱食品の一時的な保温や温調理等を行う高温側に切り替えることができる。高温側の室内温度は、主な食中毒菌の発育温度が３０℃〜４５℃であるため、ヒータ容量の公差や温度切替室３内の温度分布等を考慮して５０℃以上にするとよい。これにより、雑菌の繁殖を防止できる。また、冷蔵庫に用いられる一般的な樹脂製部品の耐熱温度が８０℃であるため、高温側の室内温度を８０℃以下にすると安価に実現することができる。
【００４８】
また、食中毒菌を滅菌するためには、例えば腸管出血性大腸菌（病原性大腸菌Ｏ１５７）の場合では７５℃で１分間の加熱が必要である。従って、ヒータ容量の公差と温度切替室３内の温度分布とを考慮して高温側の室内温度を８０℃にするとより望ましい。
【００４９】
以下は５５℃での食中毒菌の減菌に関する試験結果である。試験サンプルは初期状態で大腸菌２．４×１０3ＣＦＵ／ｍＬ、黄色ブドウ球菌２．０×１０3ＣＦＵ／ｍＬ、サルモネラ２．１×１０3ＣＦＵ／ｍＬ、腸炎ビブリオ１．５×１０3ＣＦＵ／ｍＬ、セレウス４．０×１０3ＣＦＵ／ｍＬを含んでいる。この試験サンプルを４０分間で３℃から５５℃に加温し、５５℃で３．５時間保温後、８０分間で５５℃から３℃に戻して再度各菌の量を調べた。その結果、いずれの菌も１０ＣＦＵ／ｍＬ以下（検出せず）のレベルまで減少していた。従って、温度切替室３の高温側の設定温度を５５℃としても充分減菌効果がある。
【００５０】
本実施形態によると、貯蔵物を冷蔵保存または冷凍保存する低温側と加熱食品を保温する高温側とに室内温度を切り替えできる温度切替室３を備えたので、別途保温庫等を必要とせず経済的負担を軽減するとともに場所の確保を不要にして加熱食品を保温できる利便性の高い冷蔵庫１を提供することができる。
【００５１】
次に、図７は第２実施形態の冷蔵庫の温度切替室を示す側面断面図である。説明の便宜上、前述の図１〜図６に示す第１実施形態と同一の部分には同一の符号を付している。本実施形態は、収納ケースカバー３７の表面形状が亀甲状の凹凸形状に形成されている。その他の部分は第１実施形態と同様である。
【００５２】
収納ケースカバー３７の表面形状を凹凸形状にすることによって収納ケースカバー３７の表面積が増加する。これにより、収納ケース５１内をより均一な温度にすることができるとともに、収納ケースカバー３７の強度を向上することができる。尚、第１実施形態と同様に、収納ケースカバー３７の背面及び風向板４０ａの一方または両方を傾斜してもよい。
【００５３】
次に、図８は第３実施形態の冷蔵庫の温度切替室を示す側面断面図である。説明の便宜上、前述の図１〜図６に示す第１実施形態と同一の部分には同一の符号を付している。本実施形態は、収納ケース５１がステンレスやアルミニウム等の金属から成り、網状の樹脂から成るグリル３９により外周面の一部が覆われる。その他の構成は第１実施形態と同様である。
【００５４】
金属は熱伝導率が高いため温度切替室３内の熱を収納ケース５１内に容易に伝えることができる。また、樹脂製のグリル３９を把持して使用者が収納ケース５１を引き出すことができ、使用者が収納ケース５１を把持した際に火傷する危険を防止することができる。
【００５５】
また、収納ケース５１は収納ケースカバー３７との接触面に金属が露出し、収納ケース５１及び収納ケースカバー３７の互いの接触面は電界砥粒研磨等の研磨加工によって表面粗さが０．０５Ｓ以下の鏡面に仕上げられている。これにより、収納ケース５１と収納ケースカバー３７とが互いに密着し、収納ケース５１外への食品の臭い移りをより確実に防止することができる。
【００５６】
尚、収納ケースカバー３７を網状の樹脂から成るグリルにより表面を覆ってもよい。また、第１実施形態と同様に、収納ケースカバー３７の背面及び風向板４０ａの一方または両方を傾斜してもよい。第２実施形態と同様に収納ケースカバー３７の表面形状を凹凸形状にしてもよい。
【００５７】
第１〜第３実施形態において、収納ケースカバー３７を樹脂により形成してもよい。これにより、収納ケースカバー３７の熱伝導率が低下するため収納ケース５１内を均一な温度にする効果が減少するが、貯蔵物に直接熱風が当たることによる貯蔵物の乾燥を防止することができる。また、収納ケース５１外への食品の臭い移りを防止することができる。
【００５８】
また、第１〜第３実施形態において、野菜室５の流出口にダンパを設けてもよい。これにより、温度切替室３を高温側から低温側に切り替えた際に、該ダンパを閉じて温度切替室３からの熱風が野菜室５に逆流することを防止できる。また、温度切替室３を高温側から低温側へ切り替える際に送風機１８が停止されている場合には、冷凍室ダンパ２２が閉じられるようになっている。これにより、送風機１４の駆動によって冷凍室ダンパ２２から冷凍室６内へ熱風が逆流することを防止できる。
【産業上の利用可能性】
【００５９】
本発明によると、使用者により室内温度を切り替えることのできる温度切替室を備えた冷蔵庫に利用することができる。
【図面の簡単な説明】
【００６０】
【図１】本発明の第１実施形態の冷蔵庫を示す正面図
【図２】本発明の第１実施形態の冷蔵庫を示す右側面図
【図３】本発明の第１実施形態の冷蔵庫を示す右側面断面図
【図４】本発明の第１実施形態の冷蔵庫の温度切替室を示す右側面断面図
【図５】本発明の第１実施形態の冷蔵庫の中段部を示す正面断面図
【図６】本発明の第１実施形態の冷蔵庫の冷気の流れを示す冷気回路図
【図７】本発明の第２実施形態の冷蔵庫の温度切替室を示す右側面断面図
【図８】本発明の第３実施形態の冷蔵庫の温度切替室を示す右側面断面図
【符号の説明】
【００６１】
１    冷蔵庫
２    冷蔵室
３    温度切替室
４    製氷室
５    野菜室
６    冷凍室
９    扉
１１、５１  収納ケース
１２    導入通風路
１３    温度切替室吐出ダンパ
１４、１８、２８  送風機
１５    ヒータ
１７    蒸発器
１６、２４  温度センサ
１９、２１  戻り通風路
２０    温度切替室戻りダンパ
２２    冷凍室ダンパ
２５    チルド室ダンパ
２７    冷蔵室ダンパ
３０    温度ヒューズ
３１、３２  冷気通路
３３    背面板
３５    圧縮機
３７    収納ケースカバー
３９    グリル
４０    グリル
４０ａ  風向板
【図１】
2006258322.tif 000003
【図２】
2006258322.tif 000004
【図３】
2006258322.tif 000005
【図４】
2006258322.tif 000006
【図５】
2006258322.tif 000007
【図６】
2006258322.tif 000008
【図７】
2006258322.tif 000009
【図８】
2006258322.tif 000010